(57)【要約】【課題】不協音程や不完全協音程が発音される際の不快感を解消させる音階表音装置、および報時時計を提供する。【解決手段】定時に表音指令信号を発生する計時回路１０２と、少なくとも１２音音階を発音可能な表音部である分周器１０５，アンプ１１２，およびスピーカ１１３と、１２音音階の各音階音と定時に該当する各時刻とを対応付け、表音指令信号を受ける毎に、１２音音階のうちの１つである基礎音を表音の後、その時刻に対応した音階構成音を表音するように表音部を制御する順次切換回路１０６と、順次切換回路１０６が基礎音に対して少なくとも不協音程および／または不完全協音程の音階構成音を表音部に表音させる場合に、当該音階構成音を含む和音を構成しうる和音構成音の少なくとも１つを重ねて表音するように表音部を制御する和音加算器１０８とを設ける。【選択図】　図１
2004145098.tif 000002
【特許請求の範囲】
【請求項１】
定時に表音指令信号を発生する計時部と、
少なくとも１２音音階を発音可能な表音部と、
前記１２音音階の各音階音と前記定時に該当する各時刻とを対応付けて、前記表音指令信号を受ける毎に、前記１２音音階の内の１つである基礎音を表音の後、その時刻に対応した音階構成音を表音するように前記表音部を制御する表音制御部と、
前記表音制御部が前記基礎音に対して不協音程および／または不完全協音程の前記音階構成音を前記表音部に表音させる場合に、当該音階構成音を含む和音を構成しうる和音構成音の少なくとも１つを重ねて表音するように前記表音部を制御する和音構成音加算部とを有する
音階表音装置。
【請求項２】
前記和音構成音加算部は、前記表音制御部が前記基礎音に対して前記黒鍵音程に相当する前記音階構成音を表音させる場合に、当該音階構成音を含む和音を構成しうる和音構成音の少なくとも１つを重ねて表音するように前記表音部を制御する
請求項１に記載の音階表音装置。
【請求項３】
前記和音構成音加算部は、前記表音制御部が前記表音部に前記基礎音を発音させる場合に、当該基礎音を含む和音を構成しうる和音構成音の少なくとも１つを重ねて表音するように前記表音部を制御する
請求項１または２に記載の音階表音装置。
【請求項４】
前記表音制御部は、前記表音部に前記基礎音を発音させる前に、前記基礎音を予告するための予告音を表音するように前記表音部を制御する
請求項１〜３のいずれかに記載の音階表音装置。
【請求項５】
時刻に応じた前記音階構成音を示す文字板の略中心位置に設けられ、前記定時に発光する中心位置発光手段と、
前記中心位置発光手段を囲むように、前記時刻に応じた前記音階構成音に対応した位置に設けられ、前記音階構成音に応じて発光する時刻発光手段とを有する
請求項１〜４のいずれかに記載の音階表音装置。
【請求項６】
前記表音制御部は、前記１２音階の各音階音に対応付けられた時刻のうち偶数時刻と奇数時刻とで前記音階構成音の表音形態が異なるように前記表音部を制御する
請求項１〜５のいずれかに記載の音階表音装置。
【請求項７】
前記表音制御部は、前記１２音階の各構成音に対応付けられた時刻のうち偶数時刻と奇数時刻とで異なるテンポで、前記基礎音を表音の後その時刻に対応した音階構成音を表音するように前記表音部を制御する
請求項１〜６のいずれかに記載の音階表音装置。
【請求項８】
定時に応じた報時を行う報時時計であって、
前記定時に表音指令信号を発生する計時部と、
少なくとも１２音音階を発音可能な表音部と、
前記１２音音階の各音階音と前記定時に該当する各時刻とを対応付けて、前記表音指令信号を受ける毎に、前記１２音音階の内の１つである基礎音を表音の後、その時刻に対応した音階構成音を表音するように前記表音部を制御する表音制御部と、
前記表音制御部が前記基礎音に対して不協音程および／または不完全協音程の前記音階構成音を前記表音部に表音させる場合に、当該音階構成音を含む和音を構成しうる和音構成音の少なくとも１つを重ねて表音するように前記表音部を制御する和音構成音加算部とを有する
報音時計。
【発明の詳細な説明】
【０００１】
【発明の属する技術分野】
本発明は、例えば、定時に報時を行う音階表音装置、および報時時計に関するものである。
【０００２】
【従来の技術】
従来、音感訓練に最適な１２音音階表音装置が知られている（例えば、特許文献１参照。）。
上述の１２音音階表音装置は、定時に１２音音階の内の１つである基礎音を表音の後、予め定められた、その時刻に対応した音階構成音を表音する。ユーザは基礎音および音階構成音を聴き、基礎音と音階構成音と音程と、予め定められた音程と時刻との対応関係に基づいてその時刻を認識する。
ここで、２音の高さの隔たりを音程といい、物理的に２つの音の振動数の比が１対２の関係であるときその２つの音はオクターブの関係であるという。
上述した１２音音階表音装置は、２つの音が順次に鳴り響く旋律的音程で発音させている。一方、２つの音が同時に鳴り響くものを和声的音程という。
【０００３】
ところで、オクターブ内の２音の音程は、大きく分けると協音程と不協音程とに分類される。協音程は２音が和音的に響くとき２音の融合状態により快感を与えて協和する音程であり、不協音程は不快に感ずる不協和なものである（例えば、非特許文献１参照。）。
【０００４】
【特許文献１】
実開平３−１１２７５号公報
【非特許文献１】
田村範一著「音楽概論」音楽之友社、昭和３１年５月３１日、ｐ．１２２〜１２３
【０００５】
【発明が解決しようとする課題】
詳細には、基礎音と時刻それぞれに対応づけられた音階構成音である報時音との間の音程は、完全協音程、不完全協音程、および不協音程に分類される。
上述した１２音階表音装置では、所定の時刻に不協音程および不完全協音程を発音した場合に、ユーザはその音を聴いて不快感を示す場合がある。そして繰り返しその所定の時刻になると不快な音が発音されるため、この不快感を解消させる音階表音装置や報時時計が望まれている。
【０００６】
本発明は、かかる事情に鑑みてなされたものであり、その目的は、不協音程や不完全協音程が発音される際の不快感を解消させる音階表音装置、および報時時計を提供することにある。
【０００７】
【課題を解決するための手段】
前記目的を達成するために、本発明の第１の観点は、定時に表音指令信号を発生する計時部と、少なくとも１２音音階を発音可能な表音部と、前記１２音音階の各音階音と前記定時に該当する各時刻とを対応付けて、前記表音指令信号を受ける毎に、前記１２音音階の内の１つである基礎音を表音の後、その時刻に対応した音階構成音を表音するように前記表音部を制御する表音制御部と、前記表音制御部が前記基礎音に対して不協音程および／または不完全協音程の前記音階構成音を前記表音部に表音させる場合に、当該音階構成音を含む和音を構成しうる和音構成音の少なくとも１つを重ねて表音するように前記表音部を制御する和音構成音加算部とを有する。
【０００８】
第１の観点によれば、計時部では定時に表音指令信号が発生する。
表音制御部では、１２音音階の各音階音と定時に該当する各時刻とを対応付けて、表音指令信号を受ける毎に、１２音音階の内の１つである基礎音を表音の後、その時刻に対応した音階構成音を表音するように表音部が制御される。
和音構成音加算部では、表音制御部と、表音制御部が基礎音に対して不協音程および／または不完全協音程の音階構成音を表音部に表音させる場合に、当該音階構成音を含む和音を構成しうる和音構成音の少なくとも１つを重ねて表音するように表音部が制御される。
【０００９】
前記目的を達成するために、本発明の第２の観点は、定時に１２音階の表音を行う報時時計であって、前記定時に表音指令信号を発生する計時部と、少なくとも１２音音階を発音可能な表音部と、前記１２音音階の各音階音と前記定時に該当する各時刻とを対応付けて、前記表音指令信号を受ける毎に、前記１２音音階の内の１つである基礎音を表音の後、その時刻に対応した音階構成音を表音するように前記表音部を制御する表音制御部と、前記表音制御部が前記基礎音に対して不協音程および／または不完全協音程の前記音階構成音を前記表音部に表音させる場合に、当該音階構成音を含む和音を構成しうる和音構成音の少なくとも１つを重ねて表音するように前記表音部を制御する和音構成音加算部とを有する。
【００１０】
【発明の実施の形態】
第１の実施の形態
図１は、本発明に係る音階表音装置の第１の実施の形態の機能ブロック図である。
本実施の形態に係る音階表音装置１は、例えば定時に１２音階の表音を行う報時時計として用いられる。
【００１１】
音階表音装置１は、基準クロック発振器１０１、計時回路１０２、表示駆動回路１０３、時刻表示板１０４、分周器１０５、順次切換回路１０６、制御クロック発生回路１０７、和音構成音加算器１０８、基礎音ゲート用のアンドゲート１０９、報時音ゲート用のアンドゲート１１０、オアゲート１１１、アンプ１１２、およびスピーカ１１３を有する。
【００１２】
計時回路１０２は本発明に係る計時部に相当し、分周器１０５，アンプ１１２，およびスピーカ１１３は本発明に係る表音部に相当し、順次切換回路１０６は本発明に係る表音制御部に相当し、和音構成音加算器１０８は本発明に係る和音構成音加算部に相当する。
【００１３】
基準クロック発振器１０１は、例えば高精度の水晶発振器により構成され、時刻のカウントの基準となる高周波で一定周波数の基準クロック信号を生成し、計時回路１０２および分周器１０５に出力する。
【００１４】
計時回路１０２は、基準クロック発振器１０１からの基準クロック信号をカウントして計時を行い、１分経過毎に１つの指針駆動パルスを発生し、表示駆動回路１０３に信号ｓ１０２１を出力する。
また、計時回路１０２は、「時」桁の切換る定時に「時」桁切換り信号ｓ１０２を生成し、表示駆動回路１０３に出力する。「時」桁切換り信号は本発明に係る表音指示信号に相当する。
【００１５】
例えば、詳細には計時回路１０２は、午前０時から正午にかけての「時」桁切換り時刻、即ち、午前０時、午前１時、午前２時、…、午前１１時、正午、午後１時、…、午後１１時の１時間後毎に「時」桁切換り信号を生成し、表示駆動回路１０３に出力する。
【００１６】
表示駆動回路１０３は、計時回路１０２からの指針駆動パルスを増幅して時刻表示板１０４に出力し時刻表示板１０４の内臓の指針駆動機構を動作させて、長針ならびに短針を１分に相当する角度だけ進める。
【００１７】
分周器１０５は、基準クロック発振器から出力された基準クロック信号を分周し、基準周波数を音階構成音ａ１（例えば４４０Ｈｚ；演奏会調）とした下記の１２平均率音階の各音階に対応する周波数に分周し、各周波数のクロック信号（以下音階信号ｃ，ｃ＃，ｄ，…，ｃ１，ｃ１＃，ｄ１，…，ｃ２，ｃ２＃，ｄ２，…，ｇ２，…等）を生成する。なお、単位はＨｚである。
【００１８】
詳細には、例えば、ｃ＝１３０．８１、ｃ＃＝１３８．５９、ｄ＝１４６．８３、ｄ＃＝１５５．５６、ｅ＝１６４．８１、ｆ＝１７４．６１、ｆ＃＝１８５．００、ｇ＝１９６．００、ｇ＃＝２０７．６５、ａ＝２２０．００、ａ＃＝２３３．０８、ｂ＝２４６．９４、ｃ１＝２６１．６３、ｃ１＃＝２７７．１８、ｄ１＝２９３．６６、ｄ１＃＝３１１．１３、ｅ１＝３２９．６３、ｆ１＝３４９．２３、ｆ１＃＝３６９．９９、ｇ１＝３９２．００、ｇ１＃＝４１５．３０、ａ１＝４４０．００、ａ１＃＝４６６．１６、ｂ１＝４９３．８８、ｃ２＝５２３．２５、ｃ２＃＝５５４．３７、ｄ２＝５８７．３３、ｄ２＃＝６２２．２５、ｅ２＝６５９．２６、ｆ２＝６９８．４６、ｆ２＃＝７３９．９９、ｇ２＝７８３．９９、…等である。
【００１９】
順次切換回路１０６は、分周器１０５の各出力信号を切換え対象データとして入力し、そのいずれかを選択的に報時音用ゲート用のアンドゲート１１０および和音構成音加算器１０８に信号ｓ１０６として出力する。詳細には、例えば順次切換回路１０６は、出力信号の切換えは後述する制御クロック発生回路１０７から出力される切換えタイミングパルスｐ３に応答して行う。
【００２０】
制御クロック発生回路１０７は、計時回路１０２から出力された「時」桁切換り信号に応じて、基礎音ゲートパルスｐ１を生成して、基礎音ゲート用のアンドゲート１０９に出力信号ｓ１０７ａとして出力し、次いで、基礎音ゲートパルスｐ１の持続時間経過後に時刻対応音（報時音とも言う）ゲートパルスｐ２を生成し報時音ゲート用のアンドゲート１１０に出力信号ｓ１０７ｂとして出力し、最後に、その報時音ゲートパルスｐ２の持続時間経過後、切換えタイミングパルスｐ３を生成し、順次切換回路１０６に出力信号ｓ１０７ｃとして出力する。
【００２１】
基礎音ゲートパルスｐ１および時刻対応音（報時音）ゲートパルスｐ２はその持続時間がそれぞれ１秒程度であり、基礎音ゲートパルスｐ１が立下がってから時刻対応音（報時音）ゲートパルスｐ２が立ち上がるまで１秒間の無音時間が設けられている。
【００２２】
切換えタイミングパルスｐ３は、順次切換回路１０６に入力切換用のクロックとして供給される。順次切換回路１０６は出力信号ｓ１０７ｃの切換タイミングパルスｐ３を受けるごとに、分周器１０５からの各入力データから出力端子に発生させるものをｃ１〜ｃ２の順で順次切換える。計時回路１０２の「時」桁切換りパルスｐ０の発生時刻と順次切換回路１０６の出力データとの初期設定により、「時」桁の各切換りパルスｐ０の発生時刻と順次切換回路１０６の出力データとの初期設定により、「時」桁の各切換り時刻と少なくとも１２音音階の各音階構成音ｃ１〜ｃ２との対応が決まる。
【００２３】
和音構成音加算器１０８は、順次切換回路１０６が基礎音ｂｓに対して不協音程および／または不完全協音程の音階構成音を表音部から表音させる場合に、不協音程および不完全協音程の音階構成音を含む和音を構成しうる和音構成音の少なくとも１つを重ねて表音するように表音部を制御する。
【００２４】
詳細には、和音構成音加算器１０８は、順次切換回路１０６からの出力信号ｓ１０６に基づいて、その出力信号ｓ１０６が不協音程および／または不完全協音程の音階構成音である場合には、不協音程および不完全協音程の音階構成音を含む和音を構成しうる和音構成音の少なくとも１つを重ねて表音するように表音部を制御する。
【００２５】
図２は、１２音階の音の音程を説明するための図である。
１２音階のオクターブ内の２音の音程は、図２に示すように、協音程と不協音程とに分類される。
協音程は、２音が和音的に響くとき２音の融合状態により快感を与えて協和する音程である。協音程は物理的には２音の振動数の比が単純である。
【００２６】
協音程は、完全協音程、および不完全協音程を含む。
完全協音程では、２音が同時に発音された場合に完全に溶け合って響く。完全協音程は２音の振動数の比が非常に単純である。
完全協音程は、振動数比が１：１である完全１度、振動数比が１：２である完全８度、振動数比が２：３である完全５度、および振動数比が３：４である完全４度を含む。
【００２７】
不完全協音程では、２音が同時に発音された場合に完全協音程に比べて、完全ではないがやや溶け合って響く。不完全協音程は２音の振動数の比が完全協音程よりも複雑である。
不完全協音程では、振動数比が４：５である長３度、振動数比が５：６である短３度、振動数比が３：５である長６度、および振動数比が５：８である短６度を含む。
【００２８】
不協音程は、２音が同時に発音された場合に溶け合わず、不快に感ずる不協和なものである。不協音程は上述した完全協音程と不完全協音程以外の音程である。不協音程では２音の振動数の比が複雑である。
【００２９】
不協音程は、例えば、振動数比が８：９である長２度、振動数比が１５：１６である短２度、振動数比が８：１５である長７度、振動数比が９：１６である短７度、および振動数比が５：７である増４度を有する。
【００３０】
図３は、図１に示した音階表音装置で発音される所定の時刻と対応付けられた１２音階の音程の種類を示す図である。
和音構成音加算器１０８は、例えば図３に示すように、順次切換回路１０６から出力された出力データに基づいて、その出力データが完全協音程、不完全協音程、および不協音程であるかを判別する。
【００３１】
順次切換回路１０６は、報時音ｔｓとして、例えば図３に示すように、時刻０時〜１２時は、それぞれ完全１度のｃ１、増１度のｃ１＃、長２度のｄ１、増２度ｄ１＃、長３度のｅ１、完全４度のｆ１、増４度のｆ１＃、完全５度のｇ１、増５度のｇ１＃、長６度のａ１、増６度のａ１＃、長７度のｂ１＃、および完全８度のｃ２の音程の出力データを和音構成音加算器１０８に出力する。
ここで、増１度は短２度であり、増２度は短３度であり、増６度は短７度である。
【００３２】
時刻０時〜１２時に対応する報時音ｔｓそれぞれは、図３に示すように、完全協音程、不協音程、不協音程、不完全協音程、不完全協音程、完全協音程、不協音程、完全協音程、不完全協音程、不完全協音程、不協音程、不協音程、および完全協音程それぞれに対応する。
【００３３】
完全１度、長２度、長３度、完全４度、完全５度、長６度、長７度、および完全８度の音程の音は、例えばピアノの鍵板の白鍵を操作した際に発音される音（白鍵音程とする）に相当する。
増１度（短２度）、増２度（短３度）、増４度、増５度、および増６度（短７度）の音程の音は、例えばピアノの鍵板の黒鍵を操作した際に発音される音（黒鍵音程とする）に相当する。
【００３４】
和音構成音加算器１０８は、例えば、順次切換回路１０６から出力されたデータが、不協和音程および不完全協音程の場合で、さらに黒鍵音程に相当する音程の場合に、その不協音程および不完全協音程の音階構成音を含む和音を構成しうる和音構成音の少なくとも１つを重ねて表音するように表音部を制御する。
【００３５】
図４は、図１に示した音階表音装置の発音を説明するための図である。
図４（ａ），（ｂ）は所定の時刻に対応した、基礎音および報時音を説明するための図である。図４（ｃ），（ｄ）は図１に示した音階表音装置の表音部から発音される、所定の時刻に対応した、基礎音に対して和音構成音を加えた不協音程および不完全協音程の報時音を説明するための図である。
【００３６】
例えば、基礎音ｂｓおよび報時音ｔｓを、図４（ａ），（ｂ）に示すように、０時にはｃ１，ｃ１と報音し、１時にはｃ１，ｃ１＃と報音し、２時にはｃ１，ｄ１と報音し、３時にはｃ１，ｄ１＃と報音し、４時にはｃ１，ｅ１と報音し、５時にはｃ１，ｆ１と報音し、６時にはｃ１，ｆ１＃と報音し、７時にはｃ１，ｇ１と報音し、８時にはｃ１，ｇ１＃と報音し、９時にはｃ１，ａ１と報音し、１０時にはｃ１，ａ１＃と報音し、１１時にはｃ１，ｂ１と報音し、１２時にはｃ１，ｃ２とスピーカ１１３から報音した際に、基礎音ｂｓに対して報時音ｔｓが不協音程および不完全協音程の場合には、ユーザは不快な感じを受ける。なお、基礎音ｂｓおよび報時音ｔｓを”，”で区切って表記した。また各音の発音の長さは２分音符である。
【００３７】
このため、ユーザが特に不快感を示す報時音ｔｓ（１，３，６，８，１０時の黒鍵音程）を明るい響きである、長３和音になるように、報時音ｔｓを含む長３和音の構成音の少なくとも１つを重ねて当該報時音ｔｓを含む長３和音をスピーカ１１３に発音させる。
【００３８】
詳細には、図４（ｃ），（ｄ）に示すように、時刻０時〜１２時において、順次切換回路１０６から報時音ｔｓとして、それぞれ完全１度のｃ１、増１度のｃ１＃、長２度のｄ１、増２度のｄ１＃、長３度のｅ１、完全４度のｆ１、増４度のｆ１＃、完全５度のｇ１、増５度のｇ１＃、長６度のａ１、増６度のａ１＃、長７度のｂ１＃、および完全８度のｃ２の音程の出力データが和音構成音加算器１０８に出力されると、和音構成音加算器１０８は、それぞれ出力オフ（単にオフとも言う）、ｆ＃＋ａ＃、オフ、ａ♭＋ｃ１、オフ、オフ、ｃ１♭＋ｅ１♭、オフ、ｄ１♭＋ｆ１、オフ、ｅ１♭＋ｇ１、オフ、オフの和音構成音を報時音ゲート用のアンドゲート１１０に出力信号ｓ１０８として出力する。
【００３９】
ここで、和音構成音加算器１０８は順次切換回路１０６から完全協音程の出力データが出力された場合には、和音構成音を報時音ゲート用のアンドゲート１１０に出力しない。また、記号”＋”は同時に表音することを示す。また、完全音程の音を発音する時刻、詳細には０時，５時，７時，および１２時には、ｃ１を全音符の長さで発音する。その他の音は２分音符の長さで発音する。
【００４０】
図４（ｅ）は、長３和音の構成音を説明するための図である。
長３和音は、図４（ｅ）に示すように、根音ｈｓ１、第３音ｈｓ３、および第５音ｈｓ５とから構成される。
【００４１】
和音構成音加算器１０８は、基礎音に対して報時音ｔｓが、例えば黒鍵音程に対応する時刻、詳細には１，３，６，８，および１０時に、報時音ｔｓを含む長３和音を構成しうる構成音の少なくとも１つを報時音ｔｓを出力信号ｓ１０８として、報時音ゲート用のアンドゲート１１０に出力する。
より詳細には、和音構成音加算器１０８は、報時音ｔｓが長３和音の第５音ｈｓ５になるように、長３和音の他の構成音を報時音ゲート用のアンドゲート１１０に出力信号ｓ１０８を出力する。
【００４２】
基礎音ゲート用のアンドゲート１０９は、入力端に分周器１０５の所定の１２音階の音階音の出力端、および制御クロック発生回路１０７に接続され、出力端はオアゲート１１１の入力端に接続されている。
【００４３】
詳細には、例えば、音階ｃ１の音が基礎音ｂｓとして設定する場合には、アンドゲート１０９の入力端１０９１に分周器１０５からの音階信号ｃ１が入力される。
また、基礎音ゲート用のアンドゲート１０９の入力端１０９２には、制御クロック発生回路１０７からの出力信号ｓ１０７ａの基礎音ゲートパルスｐ１がゲート信号として入力される。
【００４４】
基礎音ゲート用のアンドゲート１０９は、この基礎音ゲートパルスｐ１が”Ｈ”（ハイレベル）の間、音階信号ｃ１を通過させ、オアゲート１１１に出力信号ｓ１０９として出力する。
【００４５】
時刻対応音（報時音）ゲート用のアンドゲート１１０は、入力端に制御クロック発生回路１０７、順次切換回路１０６、および和音構成音加算器１０８が接続され、出力端にオアゲート１１１が接続されている。
アンドゲート１１０は、時刻対応音ゲートパルスｐ２が“Ｈ“の間、順次切換回路１０６および和音構成音加算器１０８の出力信号を通過させ、オアゲート１１１に出力信号ｓ１１０として出力する。
【００４６】
オアゲート１１１は、入力端に基礎音ゲート用のアンドゲート１０９、および報時音ゲート用のアンドゲート１１０が接続され、出力端にアンプ１１２が接続されている。
【００４７】
オアゲート１１１は、基礎音ゲート用のアンドゲート１０９からの出力信号ｓ１０９と、順次切換回路１０６の出力信号ｓ１０６および和音構成音加算器１０８の出力信号ｓ１０８とが加算され、アンプ１１２に出力信号ｓ１１１として出力する。
【００４８】
アンプ１１２は、オアゲート１１１から出力信号ｓ１１１を、例えば、Ｄ／Ａ（デジタル／アナログ）変換し、所定のレベルまで増幅してスピーカ１１３を介して所定の表音を行う。
【００４９】
図５は、図１に示した音階表音装置の動作を説明するためのタイミングチャートである。図５（ａ）は計時回路１０２の出力信号ｓ１０２を示す図、図５（ｂ），（ｃ），（ｄ）は制御クロック発生回路１０７の出力信号ｓ１０７ａ，ｓ１０７ｂ，ｓ１０７ｃを示す図、図５（ｅ）は基礎音ゲート用のアンドゲート１０９の出力信号ｓ１０９を示す図、図５（ｆ）は順次切換回路１０６の出力信号ｓ１０６を示す図、図５（ｇ）は和音構成音加算器１０８の出力信号ｓ１０８を示す図、図５（ｈ）は報時音ゲート用のアンドゲート１１０の出力信号ｓ１１０を示す図、図５（ｉ）はオアゲート１１１の出力信号ｓ１１１を示す図である。
音階表音装置１の動作を図５（ａ）〜（ｉ）を参照しながら説明する。
【００５０】
例えば、順次切換回路１０６が音階ｆ１＃をアンドゲート１１０に出力しているときに計時回路１０２から出力信号ｓ１０２「時」桁切換りパルスｐ０が発生されたとする。
このとき、図５（ｆ），（ｇ）に示すように、和音構成音加算器１０８では、順次切換回路１０６から出力信号ｓ１０６として不協音程で黒鍵音程である音階ｆ１＃が出力されると、音階ｆ１＃を第５音ｈｓ５とする長三和音の構成音である音階信号ｃ１♭およびｅ１♭をアンドゲート１１０に出力信号ｓ１０８として出力している。
【００５１】
制御クロック発生回路１０７では、図５（ｂ）に示すように出力信号ｓ１０７ａとして基礎音ゲートパルスｐ１が出力され、その１秒後に図５（ｃ）に示すように出力信号ｓ１０７ｂとして時刻対応音（報時音）ゲートパルスｐ２が出力され、図５（ｄ）に示すように出力信号ｓ１０７ｃとして切換タイミングパルスｐ３が順次出力される。
【００５２】
図５（ｅ）に示すように、基礎音ゲートパルスｐ１により、基礎音ゲート用のアンドゲート１０９が開き、その間だけアンドゲート１０９から音階信号ｃ１が１秒だけ出力される。
その後、図５（ｃ），（ｈ）に示すように、１秒の無音期間の後、報時音ゲート用のアンドゲート１１０が時刻対応音（報時音）ゲートパルスｐ２により開き、その１秒間、このアンドゲート１１０から順次切換回路１０６の出力信号ｓ１０６、即ち音階信号ｆ１＃、および和音構成音加算器１０８の出力信号ｓ１０８として和音構成音、即ち音階信号ｃ１♭およびｅ１♭が出力される。
【００５３】
そして、図５（ｈ），（ｉ）に示すように、音階信号ｃ１、および長３和音ｃ１♭＋ｅ１♭＋ｆ１＃がオアゲート１１１から順次出力されて、アンプ１１２およびスピーカ１１３から表音される。
【００５４】
そして、図５（ｄ）に示すように、音階信号ｃ１、および長３和音ｃ１♭＋ｅ１♭＋ｆ１＃が表音された直後、切換タイミングパルスｐ３により、順次切換回路１０６の出力信号ｓ１０６が音階信号ｆ１＃から音階信号ｇ１に切換えられる。
和音構成音加算器１０８では、順次切換回路１０６から出力信号ｓ１０６として、ｃ１の基礎音ｂｓに対して完全音程で白鍵音程に相当する音階信号ｇ１が出力されると、和音構成音の出力信号を出力しない。
【００５５】
そして、１時間が経過し、再び計時回路１０２から出力信号ｓ１０２として、「時」桁切換パルスｐ０が発生されると、上記と同様にして、基礎音ゲートパルスｐ１、時刻対応音（報時音）ゲートパルスｐ２、切換タイミングパルスｐ３が順次発生される。
このとき発生された時刻対応音（報時音ｔｓ）は音階構成音ｇ１の音となり、また順次切換回路１０６での出力信号ｓ１０６は、音階信号ｇ１から音階信号ｇ１＃に切換えられる。
【００５６】
和音構成音加算器１０８では、順次切換回路１０６から出力信号ｓ１０６として、ｃ１の基礎音ｂｓに対して不完全協音程で黒鍵音程に相当する音階信号ｇ１＃が出力されると、音階ｇ１＃を第５音ｈｓ５とする長３和音の構成音である音階ｄ１♭および音階ｆ１を、報時音ゲート用のアンドゲート１１０に出力する。
【００５７】
ここで、午前０時の時刻対応音（報時音ｔｓ）を音階構成音ｃ１となるように順次切換回路１０６の出力信号ｓ１０６を初期設定した場合、各時刻にスピーカ１１３からは、図４に示すように、０時にはｃ１，ｃ１と表音し、１時にはｃ１，ｆ＃＋ａ＃＋ｃ１＃と表音し、２時にはｃ１，ｄ１と表音し、３時にはｃ１，ａ♭＋ｃ１＋ｅ１♭と表音し、４時にはｃ１，ｅ１と表音し、５時にはｃ１，ｆ１と表音し，６時にはｃ１，ｃ１♭＋ｅ１♭＋ｇ１♭と表音し、７時にはｃ１，ｇ１と表音し、８時にはｃ１，ｄ１♭＋ｆ１＋ａ１♭、９時にはｃ１，ａ１と表音し、１０時にはｃ１，ｅ１♭＋ｇ１＋ｂ１♭と表音し、１１時にはｃ１，ｂ１と表音し、１２時にはｃ１，ｃ２と表音される。
【００５８】
以上説明したように、定時に表音指令信号を発生する計時回路１０２と、少なくとも１２音音階を発音可能な表音部である分周器１０５，アンプ１１２，およびスピーカ１１３と、１２音音階の各音階音と定時に該当する各時刻とを対応付けて、表音指令信号を受ける毎に、１２音音階の内の１つである基礎音ｂｓを表音の後、その時刻に対応した音階構成音を表音するように表音部を制御する順次切換回路１０６と、順次切換回路１０６が基礎音ｂｓに対して少なくとも不協音程および／または不完全協音程の音階構成音を表音部に表音させる場合に、当該音階構成音を含む和音を構成しうる和音構成音の少なくとも１つを重ねて表音するように表音部を制御する和音構成音加算器１０８とを設けたので、不協的な響きの不協音程や不完全協音程が発音される際の不快感を解消させることができる。
【００５９】
特に、和音構成音加算器１０８は、１，３，６，８，１０時の際に、報時音ｔｓを含む長３和音となるように長３和音の和音構成音を出力し、スピーカ１１３に発音させることで、長３和音は明るい響き（ド、ミ、ソの和音）であり、その明るさにより、不協的な響きが心理的に４分の１程度にまで減らすことができる。
【００６０】
また、所定の時刻に対応する報時音ｔｓを含む長３和音を発音しても、ユーザは報時音ｔｓを聴き取ることができ基礎音ｂｓと報時音ｔｓとの間の音程から、時刻を簡単に認識することができる。
【００６１】
また、和音構成音加算器１０８は、報時音ｔｓが長３和音の第５音ｈｓ５の構成音になるように、長３和音の構成音を報時音ｔｓを出力し、スピーカ１１３に報時音ｔｓを含む長３和音を発音させるので、ユーザは報時音ｔｓを含む和音から報時音ｔｓを簡単に識別することができる。
【００６２】
例えば１時の場合、ｃ〜ｃ♯の増１度（短２度でもある、平均律では異名同音程）を報時音ｔｓにより学習させる上で、不快感を感じることなくｃ〜ｃ♯を聴取および認識できる。３和音の第５音ｈｓ５のである１番上方の構成音は３つの構成音の中でもっとも聴取しやすい。
【００６３】
また、黒鍵音程の報時音ｔｓに対応する時刻に、その報時音ｔｓを含む和音がスピーカ１１３から発音されるめに、ユーザは時刻の識別が格段にしやすくなる。詳細には、報時音ｔｓは、１から１２時に順に、和音と単音とが略交互に発音されるので隣接する時刻との識別がしやすい。
【００６４】
例えば基礎音ｂｓを発音後の各時刻対応音が和音であった場合、１，３，６，８，１０時のいずれかであることを識別する。例えば和声音で示される６時のときに、８時または３時と（７時、５時は単独音で発音されるので誤認しにくい。近隣の和音が発音される時刻は８時、３時だが、生活の進行上６時を８時、３時と誤認しにくい）誤認することは考えにくいためである。
【００６５】
例えば本実施の形態に係る音階表音装置１についてモニターを実施した際に、図４（ａ），（ｂ）に示すように発音した場合に比べて、図４（ｃ），（ｄ）に示したように発音することで、黒鍵音程に対応する時刻と、白鍵音程に対応する時刻を容易に識別することができた。また、不協音程および不完全協音程の報時音ｔｓの不快感を解消することができた。
【００６６】
また、健常者は文字板を視認することにより時刻を確認できるが、視覚障害者は視認できないので、報時音ｔｓの識別のしやすさが重要である。本実施の形態に係る音階表音装置１は、容易に時刻を認識することができ、視覚障害者に対して日々の生活で面倒であった時報音の回数を数える労力を解消する効果を備えている。
【００６７】
第２の実施の形態
図６は、本発明に係る音階表音装置の第２の実施の形態の機能ブロック図である。
例えば、本実施の形態に係る音階表音装置１ａは、定時に１２音階の音階構成音の内から基礎音ｂｓおよび報時音ｔｓを発音させる。
また、標準時刻情報提供局２から提供される標準時刻情報に基づいて、内部で計時している時刻情報を修正する。
【００６８】
音階表音装置１ａは、図６に示すように、計時部１１、表示部１２、通信部１３、メモリ１４、発音部１５、明暗検出器１６、およびＣＰＵ（Ｃｅｎｔｒａｌ　ｐｒｏｃｅｓｓｉｎｇ　ｕｎｉｔ　）１７を有する。
発音部１５は本発明に係る表音部に相当する。
【００６９】
計時部１１は、時刻を計時し、時刻情報をＣＰＵ１７に出力する。ＣＰＵ１７は計時部１１から出力された時刻情報に応じた表示を表示部１２に行わせ、時刻情報に応じた発音を発音部１５に行わせる。
また、例えば、計時部１１は、定時に表音指令信号を発生しＣＰＵ１７に出力する。
【００７０】
表示部１２は、報時時刻および報音に関する表示を行う。
通信部１３は、ＣＰＵ１７の制御のもと、例えば標準時刻情報提供局２から提供される標準時刻情報を受信し、ＣＰＵ１７に出力する。ＣＰＵ１７では、標準時刻情報に基づいて計時部１１で計時されている時刻情報を修正する。
例えば、標準時刻情報提供局２が標準時刻情報を含む標準電波を送信する場合を説明する。
【００７１】
通信部１３は、例えば受信アンテナ１３１、および電波受信回路１３２を有する。
受信アンテナ１３１は、標準時刻情報提供局２から送信された標準電波を受信し電波受信回路１３２に出力する。
【００７２】
電波受信回路１３２は、受信アンテナ１３１で受信された標準電波に基づいて、その標準電波に含まれる標準時刻情報を抽出しＣＰＵ１７に出力する。例えば、電波受信回路１３２は、不図示のＲＦアンプ、検波回路、整流回路、および積分回路とから構成されている。
【００７３】
メモリ１４は、時刻に応じた報時に関するプログラムｐやデータｄ等を記憶し、ＣＰＵ１７の制御のもと、それらの読出しや、所定のデータの書込みが行われる。また、メモリ１４はＣＰＵ１７がプログラムｐを実行する際の作業領域としても用いられる。
【００７４】
プログラムｐは、ＣＰＵ１７により実行され、例えば時刻に応じた報時に関する処理の手順等を有する。
データｄは、例えば、発音部１５に発音させる所定の時刻と、発音部１５に発音させる音、詳細には基礎音ｂｓおよび報時音ｔｓとを対応付けて記憶する。
例えば、データｄは、図４（ｃ），（ｄ）に示したように、所定の時刻と、基礎音ｂｓおよび報時音ｔｓとを対応付けて記憶する。
【００７５】
発音部１５は、ＣＰＵ１７の制御のもと、第１の実施の形態に係る音階表音装置１と同様に、１２音音階を発音可能である。発音部１５は、上述したように１２音階の音階構成音の内の基礎音ｂｓおよび報時音ｔｓ等を発音する。
発音部１５は、詳細には例えば、音合成回路１５１、および音程発音部１５２を有する。
【００７６】
音合成回路１５１は、例えばＣＰＵ１７から所定の時刻に応じた音を発音させる制御信号が入力されると、その制御信号に応じた音信号を合成し、音程発音部１５２に出力する。例えば、音合成回路１５１は、ＰＣＭ（Ｐｕｌｓｅ　ｃｏｄｅ　ｍｏｄｕｌａｔｉｏｎ）方式によりデジタル化された音を出力するＰＣＭ音源等の音源である。
【００７７】
音程発音部１５２は、音合成回路１５１から出力された音信号に基づいて発音を行う。例えば音程発音部１５２は、音声合成回路から出力された音信号を所定のレベルに増幅する増幅回路、および増幅回路から出力された音信号に応じた発音を行うスピーカを有する。
【００７８】
明暗検出器１６は、明状態および暗状態等を検出し、その検出の結果を示す信号をＣＰＵ１７に出力する。明暗検出器１６は、例えばＣｄＳ光センサ等の光センサである。ＣＰＵ１７は、明暗検出器１６で検出された明暗状態に応じた基礎音ｂｓおよび報時音ｔｓを発音部１５に発音させる。
【００７９】
ＣＰＵ１７は、例えば、メモリ１４に記憶されたプログラムｐに基づいて時刻の報時に関する処理を行う。
ＣＰＵ１７は、例えば、表音制御部１７１、および和音構成音加算部１７２を有する。
表音制御部１７１は本発明に係る表音制御部に相当し、和音構成音加算部１７２は本発明にかかる和音構成音加算部に相当する。
【００８０】
表音制御部１７１は、メモリ１４に記憶されている１２音音階の各音階音と定時に該当する各時刻との対応に基づいて、計時部１１からの表音指令信号を受ける毎に、１２音音階の内の１つである基礎音ｂｓを表音の後、その時刻に対応した音階構成音を表音するように発音部１５を制御する。
【００８１】
和音構成音加算部１７２は、表音制御部１７１が基礎音ｂｓに対して少なくとも不協音程および不完全協音程の音階構成音を発音部１５に表音させる場合に、当該音階構成音を含む和音を構成しうる和音構成音の少なくとも１つを表音するように発音部１５を制御する。
【００８２】
例えば、和音構成音加算部１７２は、さらに報時音ｔｓが基礎音ｂｓに対して黒鍵音程に対応する音の場合に、報時音ｔｓを含む和音を構成しうる和音構成音の少なくとも１つを報時音ｔｓに加えて発音部１５に発音させる。
【００８３】
詳細には、和音構成音加算部１７２は、図４に示したように、報時音ｔｓを含む長３和音を構成しうる構成音を報時音ｔｓに加えて発音部１５に発音させる。
より詳細には、和音構成音加算部１７２は、報時音ｔｓが長３和音の第５音ｈｓ５になるように、長３和音の他の構成音を加えて発音部１５に発音させる。
【００８４】
図７は、図６に示した音階表音装置の表示部の正面図である。
表示部１２は、例えば図７に示すように、文字板１２０上に、時刻表示部１２０１、音階表示部１２０２、および調号表示部１２０３を有する。
【００８５】
時刻表示部１２０１は、文字板１２０の中心位置ｏを中心に囲むように、１〜１２時の時刻を示す表示が設けられている。
音階表示部１２０２は、例えば、時刻表示部１２０１の内側に、時刻表示部１２０１それぞれに対応する位置に、Ｃ，Ｃ＃，Ｄ，Ｄ＃，Ｅ，Ｆ，Ｆ＃，Ｇ，Ｇ＃，Ａ，Ａ＃，およびＢの１２音階の音階構成音を示す表示が設けれている。
【００８６】
調号表示部１２０３は、例えば、時刻表示部１２０１の外側に、時刻表示部１２０１の１〜１１時に対応する位置に、それぞれ５♭、２＃、３♭、４＃、１♭、（６＃，♭）、１＃、４♭，３＃、２♭、５＃を示す表示が設けられている。
【００８７】
上述した構成の表示部１２は、音感および音階の教育用に用いることができる。例えば、平行調（同一の調合をもつ長短両調の関係を言う）は、文字板１２０上では相対的に９時の位置関係で示すことができる。
【００８８】
詳細には音階表示部１２０２において長針が示す時刻に相当する位置に表示されている音階が長調、短針が示す時刻に相当する位置に表示されている音階が短調を示す。
例えばユーザが右手親指と人差し指を９０度に開き、文字板１２０に表示された音階表示部１２０２に、人差し指を所望の長調を指示した場合に親指が指し示す位置に表示されている音階が短調を示す。
【００８９】
調号は、調号表示部１２０３の表示により教育することができる。例えば調号表示部１２０３に表示されている２＃は、Ｄ　Ｄｕｒ（ニ長調）は調号に＃が２つ付くという意味である。
例えば＃系は、ファ、ド、ソ、レ、ラ、ミ、シと右方向に＃が付けられる。
このように調号表示部１２０３の表示により、各＃系、各♭系の付け方を学習することができる。
【００９０】
ユーザは発音部１５から発音された基礎音ｂｓおよび報時音ｔｓの間の音程と、文字板１２０の時刻表示部１２０１および音階表示部１２０２に表示されている時刻と音階の対応関係とに基づいて、現在の時刻を認識することができる。
【００９１】
図８，９は、図６に示した音階表音装置の動作を説明するためのフローチャートである。上述した構成の音階表音装置１の動作を図８，９を参照しながら、ＣＰＵ１７の動作を中心に説明する。
【００９２】
ステップＳＴ１において、ＣＰＵ１７では、計時部１１により計時されている時刻情報に基づいて、修正時刻であるか否かが判別される。
修正時刻であると判別された場合には、通信部１３の電波受信回路１３２に、標準時刻情報提供局２から送信された標準時刻情報を受信アンテナ１３１を介して受信させる（ＳＴ２）。
【００９３】
ステップＳＴ３において、ＣＰＵ１７では、標準時刻情報が正常に受信されたか否かが判別され、正常に受信された場合には、標準時刻情報に基づいて、計時部１１により計時されている時刻情報の修正が行われ（ＳＴ４）、発音部１５に正常に受信できた旨を示す発音を行わせ（ＳＴ５）、ステップＳＴ７の処理に進む。
【００９４】
一方、ステップＳＴ３の判別において標準時刻情報が正常に受信されていない場合には、発音部１５に正常に受信できない旨を示す発音を行わせ（ＳＴ６）、ステップＳＴ７の処理に進む。
一方、ステップＳＴ１の判別において、修正時刻でないと判別された場合にも、ステップＳＴ７の処理に進む。
【００９５】
ステップＳＴ７において、ＣＰＵ１７では、明暗検出器１６により、明状態および暗状態が検出される。詳細には、ＣＰＵ１７では、明暗検出器１６により明状態が検出された場合には明状態モードに移行し（ＳＴ８）、暗状態が検出された場合には暗状態モードに移行する（ＳＴ９）。
【００９６】
暗状態モードにおいて、例えばＣＰＵ１７では、暗状態に応じた報時に関する処理が行われる。例えばＣＰＵ１７は、暗状態モードでは発音部１５に発音させる音量を明状態モードの場合よりも小さい音量で発音させる。
【００９７】
一方、明状態モードにおいて、例えばＣＰＵ１７では、明状態に応じた報音に関する処理が行われる。例えばＣＰＵ１７では、明状態モードでは、暗状態モードの場合よりも大きい音量で発音部１５に発音させる。
【００９８】
ステップＳＴ１０において、ＣＰＵ１７では、定時であるか否かが判別される。詳細には、ＣＰＵ１７では、計時部１１から表音指示信号が出力され、計時部１１で計時されている時刻情報、およびメモリ１４に記憶されているデータｄに基づいて、予め定められた報時時刻であるか否かが判別される。
定時であると判別された場合には、ＣＰＵ１７の表音制御部１７１では、発音部１５に基礎音ｂｓを発音させる（ＳＴ１１）。
【００９９】
ステップＳＴ１２において、ＣＰＵ１７の和音構成音加算部１７２では、その時刻に発音させるべき報時音ｔｓが、基礎音ｂｓに対して不協音程および／または不完全協音程の報時音ｔｓであるか否かが判別される。
詳細には、ＣＰＵ１７の和音構成音加算部１７２では、例えば図４（ｃ），（ｄ）に示すように、メモリ１４に記憶されているデータｄに基づいて、その時刻に発音させるべき報時音ｔｓが、基礎音ｂｓに対して不協音程および／または不完全協音程の報時音ｔｓであるか否かが判別される。
【０１００】
報時音ｔｓが、基礎音ｂｓに対して不協音程および／または不完全協音程の報時音ｔｓであると判別された場合には、ＣＰＵ１７の和音構成音加算部１７２では、その報時音ｔｓが黒鍵音程であるか否かが判別される（ＳＴ１３）。
【０１０１】
ステップＳＴ１３の判別において、和音構成音加算部１７２では、報時音ｔｓが黒鍵音程であると判別された場合には、当該報時音ｔｓを含む和音、例えば長３和音を構成しうる構成音の少なくとも１つを当該報時音ｔｓに加えて発音部１５に発音させ（ＳＴ１４）、ステップＳＴ１の処理に戻る。
【０１０２】
一方、ステップＳＴ１２の判別において、その時刻に発音させるべき報時音ｔｓが基礎音ｂｓに対して不協音程および／または不完全協音程の報時音ｔｓではないと判別された場合、およびステップＳＴ１３において、報時音ｔｓが黒鍵音程でないと判別された場合には、表音制御部１７１では、報時音ｔｓを単音で発音部１５に報音させ、ステップＳＴ１の処理に戻る。
【０１０３】
上述したように、発音部１５と、１２音音階の各音階音と定時に該当する各時刻との対応を記憶するメモリ１４と、表音指令信号を受ける毎に、１２音音階の内の１つである基礎音ｂｓを表音の後、その時刻に対応した音階構成音を表音するように発音部１５を制御する表音制御部１７１と、表音制御部１７１が基礎音ｂｓに対して少なくとも不協音程および／または不完全協音程の音階構成音を発音部１５に表音させる場合に、当該音階構成音を含む和音を構成しうる和音構成音の少なくとも１つを表音するように発音部１５を制御する和音構成音加算部１７２とを設けたので、不協的な響きの不協音程や不完全協音程が発音される際の不快感を解消させることができる。
【０１０４】
また、標準時刻情報提供局２から提供される標準時刻情報を受信する通信部１３を設け、ＣＰＵ１７がその標準時刻情報に基づいて、計時部１１で計時されている時刻情報を修正するので、正確に基礎音ｂｓおよび報時音ｔｓを正確なタイミングで報音させることができる。
【０１０５】
また、明暗検出器１６を設け、ＣＰＵ１７は、明暗検出器１６で検出された明暗状態に応じた基礎音ｂｓおよび報時音ｔｓを発音部１５に発音させているので、例えば暗状態モードの際に明状態モードよりも低い音量で発音させると、ユーザは音階表音装置１ａを室内に設け、就寝する際に部屋を暗状態にした場合に、基礎音ｂｓおよび報時音ｔｓを気にすることなく就寝することができる。
【０１０６】
また、時刻と音階を対応付けた文字板１２０を設けたので、ユーザは文字板１２０を見ることで報時音ｔｓから時刻を簡単に識別することができる。また基礎音ｂｓおよび報時音ｔｓを聴き、文字板１２０を見ることで効率よく音階を学習することができる。
【０１０７】
第３の実施の形態
図１０（ａ），（ｂ）は、本発明に係る音階表音装置の第３の実施の形態の報音する所定の時刻に対応する基礎音ｂｓおよび報時音ｔｓを説明するための図である。
本実施の形態に係る音階表音装置１ｂは、第２の実施の形態に係る音階表音装置１ａと略同じ構成であるので、相違点のみ説明する。
例えば、音階表音装置１ｂは、発音部１５に基礎音ｂｓを表音させる場合に、オクターブ上の音またはオクターブ下の音を重ねて表音させる。
例えば、基礎音ｂｓにオクターブ下の音を重ねて表音させる場合を説明する。
【０１０８】
メモリ１４は、データｄｂを有する。
データｄａは、例えば図１０（ａ），（ｂ）に示すように、発音部１５に発音させる所定の時刻と、発音部１５に発音させる音、詳細には基礎音ｂｓおよび報時音とを対応付けて記憶する。
【０１０９】
ＣＰＵ１７の表音制御部１７１は、基礎音ｂｓを発音部１５に発音させる場合に、データｄｂに基づいてオクターブ下の音を基礎音ｂｓに重ねて表音させるように発音部１５を制御する。
【０１１０】
詳細には、ＣＰＵ１７は、図１０（ａ），（ｂ）に示すように、メモリ１４に記憶されているデータｄｂに基づいて発音部１５を介して、０時にはｃ＋ｃ１，ｃ１と報音し、１時にはｃ＋ｃ１，ｆ＃＋ａ＃＋ｃ１＃と報音し、２時にはｃ＋ｃ１，ｄ１と報音し、３時にはｃ＋ｃ１，ａ♭＋ｃ１＋ｅ１♭と報音し、４時にはｃ＋ｃ１，ｅ１と報音し、５時にはｃ＋ｃ１，ｆ１と報音し，６時にはｃ＋ｃ１，ｃ１♭＋ｅ１♭＋ｇ１♭と報音し、７時にはｃ＋ｃ１，ｇ１と報音し、８時にはｃ＋ｃ１，ｄ１♭＋ｆ１＋ａ１♭、９時にはｃ＋ｃ１，ａ１と報音し、１０時にはｃ＋ｃ１，ｅ１♭＋ｇ１＋ｂ１♭と報音し、１１時にはｃ＋ｃ１，ｂ１と報音し，１２時にはｃ＋ｃ１，ｃ２と報音する。
【０１１１】
図１０（ｃ）は、音階表音装置１の発音部から各３０分に発音される音を説明するための図である。
ＣＰＵ１７は、毎３０分に、正時と異なる報音を発音部１５に行わせる。詳細には、例えば、ＣＰＵ１７は図１０（ｃ）に示すように、各３０分にはｃ１の基礎音ｂｓを８分音符の長さとして発音した後、ｇ１の音を８分音符および２分音符の長さの音として発音する。
【０１１２】
以上説明したように、音階表音装置１ｂでは、ＣＰＵ１７の表音制御部１７１では、基礎音ｂｓを発音させる場合に、オクターブ下の音を基礎音ｂｓに重ねて表音させるように発音部１５を制御しているので、単調になりやすい基礎音の響きを解消することができる。
【０１１３】
第２の実施の形態に係る音階表音装置１ａでは、不協音程および不完全協音程の不快感を軽減するために、基礎音ｂｓと各時刻音を重複させて発音していないが、音階表音装置１ｂでは、完全協音程の報時音ｔｓに対応する時刻、詳細には、０，５，７，および１２時には、基礎音ｂｓと報時音ｔｓを重複させて発音部１５に発音させているから、ユーザは、例えば隣り合う４時と５時の報時音ｔｓの区別をしやすくなる。
また、音階表音装置１ｂは毎３０分に正時と異なる報音を行うので、ユーザは正時と３０分を明確に区別して認識することができる。
【０１１４】
第４の実施の形態
図１１（ａ），（ｂ）は、本発明に係る音階表音装置の第４の実施の形態の報音する所定の時刻に対応する基礎音および報時音を説明するための図である。
本実施の形態に係る音階表音装置１ｃは、第２の実施の形態に係る音階表音装置１ａと略同じ構成であるので、相違点のみ説明する。
【０１１５】
メモリ１４は、データｄｃを有する。
データｄｂは、例えば図１１（ａ），（ｂ）に示すように、発音部１５に発音させる所定の時刻と、発音部１５に発音させる音、詳細には基礎音ｂｓおよび報時音ｔｓとを対応付けて記憶する。
【０１１６】
ＣＰＵ１７は、図１１（ａ）に示すように、メモリ１４に記憶されているデータｄｂに基づいて発音部１５を介して、０時にはｃ１＋ｅ１＋ｇ１，ｃ１＋ｅ１＋ｇ１と報音し、１時にはｃ１＋ｅ１＋ｇ１，ｄ１♭＋ｆ１＋ａ１♭と報音し、２時にはｃ１＋ｅ１＋ｇ１，ｄ１＋ｆ１＃＋ａ１と報音し、３時にはｃ１＋ｅ１＋ｇ１，ｅ１♭＋ｇ１＋ｂ１♭と報音し、４時にはｃ１＋ｅ１＋ｇ１，ｅ１＋ｇ１＃＋ｂ１と報音し、５時にはｃ１＋ｅ１＋ｇ１，ｆ１＋ａ１＋ｃ２と報音し、６時にはｃ１＋ｅ１＋ｇ１，ｆ１＃＋ａ１＃＋ｃ２＃と報音し、７時にはｃ１＋ｅ１＋ｇ１，ｇ１＋ｂ１＋ｄ２と報音し、８時にはｃ１＋ｅ１＋ｇ１，ａ１♭＋ｃ２＋ｅ２♭と報音し、９時にはｃ１＋ｅ１＋ｇ１，ａ１＋ｃ２＃＋ｅ２と報音し、１０時にはｃ１＋ｅ１＋ｇ１，ｂ１♭＋ｄ２＋ｆ２と報音し、１１時にはｃ１＋ｅ１＋ｇ１，ｂ１＋ｄ２＃＋ｆ２＃と報音し、１２時にはｃ１＋ｅ１＋ｇ１，ｃ２＋ｅ２＋ｇ２と報音と報音する。ここで、基礎音ｂｓおよび報時音ｔｓそれぞれの発音の長さは、２分音符の長さである。
また、各３０分では、ＣＰＵ１７は、図１１（ｂ）に示すように、発音部１５を介して発音させる。
【０１１７】
音階表音装置１ｃでは、基礎音ｂｓを含む和音および報時音ｔｓを含む和音、詳細には長３和音を発音部１５に発音させているので、より調和のとれた響きを奏でることができる。
また、基礎音ｂｓおよび報時音ｔｓを根音ｈｓ１にした長３和音を発音部１５から発音させているので、ユーザは基礎音ｂｓおよび報時音ｔｓを聞き取りやすく、簡単に時刻を識別することができる。
【０１１８】
第５の実施の形態
図１２は、本発明に係る音階表音装置の第５の実施の形態の機能ブロック図である。
本実施の形態に係る音階表音装置１ｄは、図１２に示すように、計時部１１、表示部１２ｄ、通信部１３、メモリ１４、発音部１５、明暗検出器１６、およびＣＰＵ１７を有する。
音階表音装置１ｄは、第２の実施の形態に係る音階表音装置１ａと略同じ構成である。相違点のみ説明する。
【０１１９】
表示部１２ｄは、ドライバ１２１、ＬＥＤ（Ｌｉｇｈｔ　ｅｍｉｔｔｉｎｇ　ｄｉｏｄｅ）表示部１２２、ＥＬ（Ｅｌｅｃｔｒｏｌｕｍｉｎｅｓｃｅｎｃｅ）表示部１２３とを有する。
ＬＥＤ表示部１２２は本発明に係る時刻発光手段に相当し、ＥＬ表示部１２３は本発明に係る中心位置発光手段に相当する。
【０１２０】
ドライバ１２１は、ＣＰＵ１７の制御により、ＬＥＤ表示部１２２に駆動信号を出力し、ＥＬ表示部１２３に駆動信号を出力して駆動させる。
ＬＥＤ表示部１２２は、ＣＰＵ１７からドライバ１２１を介して出力された駆動信号に応じた表示を行う。
ＥＬ表示部１２３は、ＣＰＵ１７からドライバ１２１を介して出力された駆動信号に応じて明滅する。ＥＬ表示部１２３は、例えば有機ＥＬにより構成される。
【０１２１】
図１３は、図１２に示した音階表音装置の正面図である。
ＬＥＤ表示部１２２は、複数のＬＥＤ１２２０１〜１２２１２を有する。
例えばＬＥＤ表示部１２２は、図１３に示すように音階表音装置の文字板１２０の時刻表示部１２０１と音階表示部１２０２の間に、複数のＬＥＤ１２２０１〜１２２１２が、中心位置ｏを中心にＥＬ表示部１２３を囲むように、時刻表示部１２０１の１時〜１２時それぞれの位置に対応するように、略等間隔に略円形状に設けられている。
【０１２２】
ＥＬ表示部１２３は、例えば図１３に示すように、中心位置ｏの近傍に、中心位置ｏを中心に略同心円形状に設けられている。このＥＬ表示部１２３は、例えば暗状態モードの場合に、発光して中心点ｏを示すために設けられている。
【０１２３】
例えば、ＣＰＵ１７は、所定の時刻に報時を行う場合に、発音部１５に基礎音ｂｓを発音させ、ドライバ１２１を介してＥＬ表示部１２３を発光させる。
所定の時間の後、ＣＰＵ１７は、所定の時刻に応じた報時音ｔｓを発音部１５に発音させ、ドライバ１２１を介してその所定の時刻および報時音ｔｓに基づいたＬＥＤ表示部１２２のＬＥＤ１２２０１〜１２２１２を所定の時間、点灯させる。
【０１２４】
図１４は、図１０に示した音階表音装置の動作を説明するためのフローチャートである。上述した構成の音階表音装置１ｄの動作を図８，１４を参照しながらＣＰＵ１７の動作を中心に説明する。ここで図８に示すように、音階表音装置１の動作と同じ工程に関しては説明を省略する。
【０１２５】
ステップＳＴ１０において、ＣＰＵ１７では、定時であるか否かが判別される。詳細には、ＣＰＵ１７では、計時部１１により計時されている時刻情報、およびメモリ１４に記憶されているデータｄに基づいて、予め定められた報時時刻であるか否かが判別される。
定時であると判別された場合には、ＣＰＵ１７では、発音部１５に基礎音ｂｓを発音させ（ＳＴ２１）、ＥＬ表示部１２３を発光させる（ＳＴ２２）。
【０１２６】
ステップＳＴ２３において、ＣＰＵ１７では、その時刻に発音させるべき報時音ｔｓが、基礎音ｂｓに対して不協音程および／または不完全協音程の報時音ｔｓであるか否かが判別される。
詳細には、ＣＰＵ１７では、例えば図４（ｃ），（ｄ）に示すように、メモリ１４に記憶されているデータｄに基づいて、その時刻に発音させるべき報時音ｔｓが、基礎音ｂｓに対して不協音程および／または不完全協音程の報時音ｔｓであるか否かが判別される。
【０１２７】
報時音ｔｓが、基礎音ｂｓに対して不協音程および／または不完全協音程の報時音ｔｓであると判別された場合には、ＣＰＵ１７では、その報時音ｔｓが黒鍵音程であるか否かが判別される（ＳＴ２４）。
【０１２８】
ステップＳＴ２４の判別において、報時音ｔｓが黒鍵音程であると判別された場合には、当該報時音ｔｓを含む和音、例えば長３和音を構成しうる構成音の少なくとも１つを当該報時音ｔｓに加えて発音部１５に発音させ（ＳＴ２５）、その報時音ｔｓおよび報時時刻に対応するＬＥＤ表示部１２２のＬＥＤ１２２０１〜１２２１１を表示させ（ＳＴ２６）、ステップＳＴ１の処理に戻る。
【０１２９】
一方、ステップＳＴ２３の判別において、その時刻に発音させるべき報時音ｔｓが基礎音ｂｓに対して不協音程および／または不完全協音程の報時音ｔｓではないと判別された場合、およびステップＳＴ２４において、報時音ｔｓが黒鍵音程でないと判別された場合には、その報時音ｔｓを単音で発音部１５に報音させ（ＳＴ２７）、その報時音ｔｓおよび報時時刻に対応するＬＥＤ表示部１２２のＬＥＤ１２２０１〜１２２１１を表示させ（ＳＴ２８）、ステップＳＴ１の処理に戻る。
【０１３０】
上述したように、基礎音ｂｓが発音部１５から発音されると、ＥＬ表示部１２３が発光して中心位置ｏを示し、報時音ｔｓに対応したＬＥＤ表示部１２２のＬＥＤ１２２０１〜１２２１２が表示されるので、報時音ｔｓを視覚的に確認することができる。また中心位置ｏの近傍にＥＬ表示部１２３を設けたので、単独でＬＥＤ１２２０１〜１２２１２が発光する場合に比べて、ＬＥＤ１２２０１〜１２２１２の文字板１２０に対する位置が把握しやすい。
【０１３１】
第６の実施の形態
図１５は、本発明に係る第６の実施の形態の音階表音装置の発音部による発音を説明するための図である。
本実施の形態に係る音階表音装置１ｅは、第２の実施の形態に係る音階表音装置１ａと略同じ構成であるので、相違点のみ説明する。
【０１３２】
ＣＰＵ１７は、発音部１５に基礎音ｂｓを発音させる前に、予告音ａｓを発音部１５に発音させる。
予告音ａｓは、１２音階音の音階構成音の内の１つであり、例えば基礎音ｂｓと同じ音である。
例えば、図１５に示すように、ＣＰＵ１７は、発音部１５に予告音ａｓ音を順に３音発音させた後、基礎音ｂｓおよび所定の時刻に応じた報時音ｔｓを発音させる。
【０１３３】
上述したように、音階表音装置１ｅは、予告音ａｓ音を発音させることで、ユーザに基礎音ｂｓおよび報時音ｔｓを発音させ前に注意を促すことができ、ユーザは報時音ｔｓの識別がしやすくなる。
【０１３４】
第７の実施の形態
図１６は、本発明に係る音階表音装置の第７の実施の形態の発音部による発音を説明するための図である。
本実施の形態に係る音階表音装置１ｆは、第２の実施の形態に係る音階表音装置１ａと略同じ構成であるので、相違点のみ説明する。
【０１３５】
ＣＰＵ１７は、正時および３０分の他に、所定の時刻に発音部１５を所定の発音を行わせる。
ＣＰＵ１７は、例えば、毎１５分には図１４（ａ）に示すように基礎音ｂｓおよび報時音ｔｓを発音部１５に発音させ、毎３０分には図１４（ｂ）に示すように基礎音ｂｓおよび報時音ｔｓを発音部１５に発音させ、毎４５分には図１４（ｃ）に示すように基礎音ｂｓおよび報時音ｔｓを発音部１５に発音させる。
【０１３６】
このように音階表音装置１ｆは、正時および３０分の他に、所定の時刻、例えば毎１５分、毎４５分にも発音部１５から発音することで、ユーザは時刻を詳細に認識することができる。
【０１３７】
第８の実施の形態
本実施の形態に係る音階表音装置１ｇは、第２の実施の形態に係る音階表音装置１ａと略同じ構成であるので、相違点のみ説明する。
ＣＰＵ１７は、１２音階の各音階音に対応付けられた時刻のうち偶数時刻と奇数時刻とで音階構成音の表音形態が異なるように発音部１５を制御する。
詳細には、例えば、ＣＰＵ１７の表音制御部１７１は、偶数時刻には基礎音ｂｓを発音部１５に発音させた後、その時刻に対応した音階構成音を発音部１５に発音させ、奇数時刻には基礎音ｂｓを発音部１５に発音させた後、その時刻に対応した音階構成音を発音部１５に発音させ、さらに１２音階構成音の内の１つである音階構成音を発音部１５に発音させる。
【０１３８】
また、ＣＰＵ１７は、１２音階の各構成音に対応付けられた時刻のうち偶数時刻と奇数時刻とで異なるテンポで、基礎音を表音の後その時刻に対応した音階構成音を表音するように発音部１５を制御する。
詳細には、例えば、ＣＰＵ１７は、偶数時刻には例えば第１の実施の形態に係る音階表音装置１と同様なテンポで基礎音ｂｓおよび報時音ｔｓを発音部１５に表音させ、奇数時刻には偶数時刻よりも速いテンポで基礎音ｂｓおよび報時音ｔｓを発音部１５に発音させる。
【０１３９】
以上の構成の音階表音時計１ｇの動作を簡単に説明する。
偶数時刻になると、ＣＰＵ１７では、例えば第１の実施の形態に係る音階表音装置１と同様なテンポで、基礎音ｂｓを発音部１５に発音させた後、その時刻に対応した音階構成音を発音部１５に発音させる。
【０１４０】
奇数時刻になると、ＣＰＵ１７では、偶数時刻よりも速いテンポで、基礎音ｂｓを発音部１５に発音させた後、その時刻に対応した音階構成音を発音部１５に発音させ、さらに１２音階構成音の内の１つである音階構成音を発音部１５に発音させる。
【０１４１】
以上説明したように、偶数時刻か奇数時刻かにより発音部１５から表音される音の数が異なるので、ユーザは偶数時刻か奇数時刻を容易に識別することができる。
また、偶数時刻か奇数時刻かにより発音部１５からの表音のテンポが異なるので、ユーザは偶数時刻か奇数時刻かを用意に識別することができる。
【０１４２】
なお、本発明は上述した実施の形態に限られるものではなく、任意好適な種々の改変が可能である。
本実施の形態では、発音部の音合成回路は、ＰＣＭ音源としたがこの形態に限られるものではない。例えばＦＭ（Ｆｒｅｑｕｅｎｃｙ　ｍｏｄｕｌａｔｉｏｎ　ｓｙｎｔｈｅｓｉｚｅｒ）音源や、ＭＩＤＩ（Ｍｕｓｉｃａｌ　ｉｎｓｔｒｕｍｅｎｔ　ｄｉｇｉｔａｌ　ｉｎｔｅｒｆａｃｅ）規格に対応しているＭＩＤＩ音源等の音源であってもよい。
【０１４３】
また、第４の実施の形態では、基礎音ｂｓおよび報時音ｔｓそれぞれを含む和音を発音部１５に発音させたが、この形態に限られるものではない。
例えば、報時音ｔｓを含む和音を発音部１５に発音させ、そして順にその和音の構成音を発音部１５に発音させる。同時にＬＥＤ表示部１２２を発光させることで、ユーザは和音を視覚的に聴覚的に学習することができる。
【０１４４】
第５の実施の形態では、ＬＥＤ表示部１２２およびＥＬ表示部１２３を設けたが、それぞれの形状および発光形態は、この形態に限られるものではない。例えば、ＬＥＤやＥＬ以外の発光素子であってもよい。また、表示部は液晶ディスプレイ等の表示ディパイスであってもよい。
【０１４５】
第８の実施の形態では、偶数時刻に２音、奇数時刻に３音、発音部１５から表音されるが、表音の音数はこの形態に限られるものではない。偶数時刻に３音、奇数時刻に２音であってもよい。
また、奇数時刻の表音のテンポは、偶数時刻の表音のテンポよりも早いテンポであったが、この形態に限られるものではない。逆に偶数時刻の表音のテンポを、奇数時刻の表音のテンポよりも早いテンポにしてもよい。
【０１４６】
また、本実施の形態では、正時に順に、１２音階の内の音階構成音を低音から高音に順に対応付けたが、この形態に限られるものではない。例えば、逆に高音から低音に対応付けてもよい。
【０１４７】
また、基礎音ｂｓから報時音ｔｓまでの音を連続した音で発音させるグリッサンドで、発音部１５に発音させてもよい。こうすることで、基礎音ｂｓから報時音ｔｓまでの音が連続して発音されるので、容易に報時音ｔｓを識別することができる。
【０１４８】
また、文字板１２０には、時刻表示の数字以外に各音階音を示す音名が表記したが、音名は上述した形態に限られるものではない。例えば、各国の表記、例えば米国、英国、日本、イタリア、フランスそれぞれの音名の表記であってもよい。
【０１４９】
通信部１３は、標準時刻情報提供局２から無線により標準時刻情報を受信したが、この形態に限られるものではない。例えば、不図示の通信ネットワークを介して標準時刻情報を提供するＮＴＰ（Ｎｅｔｗｏｒｋ　ｔｉｍｅ　ｐｒｏｔｏｃｏｌ　）サーバ等にアクセスして、標準時刻情報を受信してもよい。こうすることで、ＮＴＰサーバにアクセス可能な環境では、ＣＰＵ１７は通信部１３で受信された標準時刻情報に基づいて、計時部１１の時刻情報を修正することができる。
【０１５０】
【発明の効果】
本発明によれば、不協音程や不完全協音程が発音される際の不快感を解消させる音階表音装置、および報時時計を提供することができる。
【図面の簡単な説明】
【図１】本発明に係る音階表音装置の第１の実施の形態の機能ブロック図である。
【図２】１２音階の音の音程を説明するための図である。
【図３】図１に示した音階表音装置で発音される所定の時刻と対応付けられた１２音階の音程の種類を示す図である。
【図４】図１に示した音階表音装置の発音を説明するための図である。
【図５】図１に示した音階表音装置の動作を説明するためのタイミングチャートである。
【図６】本発明に係る音階表音装置の第２の実施の形態の機能ブロック図である。
【図７】図６に示した音階表音装置の表示部の正面図である。
【図８】図６に示した音階表音装置の動作を説明するためのフローチャートである。
【図９】図６に示した音階表音装置の動作を説明するためのフローチャートである。
【図１０】（ａ），（ｂ），（ｃ）は、本発明に係る音階表音装置の第３の実施の形態の報音する所定の時刻に対応する基礎音および報時音を説明するための図である。
【図１１】（ａ），（ｂ）は、本発明に係る音階表音装置の第４の実施の形態の報音する所定の時刻に対応する基礎音および報時音を説明するための図である。
【図１２】本発明に係る音階表音装置の第５の実施の形態の機能ブロック図である。
【図１３】図１２に示した音階表音装置の正面図である。
【図１４】図１０に示した音階表音装置の動作を説明するためのフローチャートである。
【図１５】本発明に係る第６の実施の形態の音階表音装置の発音部による発音を説明するための図である。
【図１６】本発明に係る音階表音装置の第７の実施の形態の発音部による発音を説明するための図である。
【符号の説明】
１…報時時計、２…標準時刻情報提供局、１１…計時部、１２，１２ｃ…表示部、１３…通信部、１４…メモリ、１５…発音部、１６…明暗検出器、１７…ＣＰＵ、１０１…基準クロック発振器、１０２…計時回路、１０３…表示駆動回路、１０４…時刻表示板、１０５…分周器、１０６…順次切換回路１０６…制御クロック発生回路、１０８…和音構成音加算器、１０９…基礎音ゲート用のアンドゲート、１１０…報時音ゲート用のアンドゲート、１１１…オアゲート、１１２…アンプ、１１３…スピーカ、１２０…文字板、１２１…ドライバ、１２２…ＬＥＤ表示部、１２３…ＥＬ表示部、１３１…受信アンテナ、１３２…電波受信回路、１５１…音合成回路、１５２…音程発音部、１７１…表音制御部、１７２…和音構成音加算部、１２０１…時刻表示部、１２０２…音階表示部、１２０３…調号表示部。
【図１】
2004145098.tif 000003
【図２】
2004145098.tif 000004
【図３】
2004145098.tif 000005
【図４】
2004145098.tif 000006
【図５】
2004145098.tif 000007
【図６】
2004145098.tif 000008
【図７】
2004145098.tif 000009
【図８】
2004145098.tif 000010
【図９】
2004145098.tif 000011
【図１０】
2004145098.tif 000012
【図１１】
2004145098.tif 000013
【図１２】
2004145098.tif 000014
【図１３】
2004145098.tif 000015
【図１４】
2004145098.tif 000016
【図１５】
2004145098.tif 000017
【図１６】
2004145098.tif 000018